(57)【要約】【課題】立体画像表示装置の画像表示面に表示される画像を観賞する際の汎用性の向上及び使い勝手の向上を図る。【解決手段】特定の偏光を分離すると共に左眼Ｅｌ又は右眼Ｅｒの一方の眼で観賞するための第１の観賞領域２ａと他方の眼で観賞するための第２の観賞領域２ｂとから成る偏光分離手段２と、該偏光分離手段の第１の観賞領域の一方の面３に貼着された第１の偏光方向変換手段５と、上記偏光分離手段の第２の観賞領域の上記一方の面と反対側の他方の面４に貼着された第２の偏光方向変換手段６とを設けた。【選択図】　　　　　図１０
2004101775.tif 000002
【特許請求の範囲】
【請求項１】
視差に対応した画像情報が第１のエリアと第２のエリアとに各別に表示される画像表示面と、該画像表示面に対向して配置された偏光板と、該偏光板の前面の第１のエリア又は第２のエリアの一方のエリアに対応する位置に貼着され偏光方向を変換する位相差板とを備えた立体画像表示装置の上記画像表示面に表示される画像を立体画像として観賞するための偏光メガネであって、特定の偏光を分離すると共に左眼又は右眼の一方の眼で観賞するための第１の観賞領域と他方の眼で観賞するための第２の観賞領域とから成る偏光分離手段と、
該偏光分離手段の第１の観賞領域の一方の面に貼着された第１の偏光方向変換手段と、
上記偏光分離手段の第２の観賞領域の上記一方の面と反対側の他方の面に貼着された第２の偏光方向変換手段とを備えた
ことを特徴とする偏光メガネ。
【請求項２】
偏光分離手段、第１の偏光方向変換手段及び第２の偏光方向変換手段を上記一方の面側及び他方の面側から覆うと共に外面がそれぞれ平面に形成された透明保護層を設けた
ことを特徴とする請求項１に記載の偏光メガネ。
【請求項３】
第１の偏光方向変換手段と第２の偏光方向変換手段の左右の位置を反転する反転機構を設けた
ことを特徴とする請求項１に記載の偏光メガネ。
【請求項４】
第１の偏光方向変換手段と第２の偏光方向変換手段の前後の位置を反転する反転機構を設けた
ことを特徴とする請求項１に記載の偏光メガネ。
【請求項５】
視差に対応した画像情報が第１のエリアと第２のエリアとに各別に表示される画像表示面と、該画像表示面に対向して配置された偏光板と、該偏光板の前面の第１のエリア又は第２のエリアの一方のエリアに対応する位置に貼着され偏光方向を変換する位相差板とを備えた立体画像表示装置の上記画像表示面に表示される画像を立体画像として観賞するための偏光メガネであって、
特定の偏光を分離すると共に左眼又は右眼の一方の眼で観賞するための第１の観賞領域と他方の眼で観賞するための第２の観賞領域とから成る偏光分離手段と、
該偏光分離手段の第１の観賞領域又は第２の観賞領域の一方の面に貼着された第１の偏光方向変換手段と、
上記第１の偏光方向変換手段が貼着された領域である第１の観賞領域又は第２の観賞領域の上記一方の面と反対側の他方の面に貼着された第２の偏光方向変換手段とを備えた
ことを特徴とする偏光メガネ。
【請求項６】
偏光分離手段、第１の偏光方向変換手段及び第２の偏光方向変換手段を上記一方の面側及び他方の面側から覆うと共に外面がそれぞれ平面に形成された透明保護層を設けた
ことを特徴とする請求項５に記載の偏光メガネ。
【請求項７】
第１の偏光方向変換手段と第２の偏光方向変換手段の左右の位置を反転する反転機構を設けた
ことを特徴とする請求項５に記載の偏光メガネ。
【請求項８】
第１の偏光方向変換手段と第２の偏光方向変換手段の前後の位置を反転する反転機構を設けた
ことを特徴とする請求項５に記載の偏光メガネ。
【請求項９】
第１の偏光方向変換手段と第２の偏光方向変換手段を折返し部を介して一体に形成した
ことを特徴とする請求項５に記載の偏光メガネ。
【発明の詳細な説明】
【０００１】
【発明の属する技術分野】
本発明は偏光メガネに関する。詳しくは、立体画像表示装置の画像表示面に表示される画像を観賞する際の汎用性の向上を図る技術分野に関する。
【０００２】
【従来の技術】
従来から液晶画面を用いて立体画像を表現するための種々の方法が提案されており、例えば、両眼視差を利用し立体画像表示装置の画像表示面に表示された画像を偏光メガネを用いて立体画像として観賞する方法がある。
【０００３】
図３２に、立体画像表示装置及び立体画像を観賞するための偏光メガネの従来の一例を示す（特許文献１参照）。
【０００４】
立体画像表示装置（液晶表示装置）ａの画像表示面（液晶表示面）ｂは縦方向に分割された複数の水平エリアＳ、Ｓ、・・・を有し、該水平エリアＳ、Ｓ、・・・は、例えば、上側から順に交互に第１のエリアＳａ、Ｓａ、・・・と第２のエリアＳｂ、Ｓｂ、・・・とされている。第１のエリアＳａ、Ｓａ、・・・には、例えば、それぞれ右眼用画像ｃＲ、ｃＲ、・・・が表示され、第２のエリアＳｂ、Ｓｂ、・・・には、例えば、それぞれ左眼用画像ｃＬ、ｃＬ、・・・が表示される。
【０００５】
画像表示面ｂには、例えば、左肩上がりの偏光角を有する偏光板ｄが貼着されており、該偏光板ｄの観賞者側の面の第２のエリアＳｂ、Ｓｂ、・・・に対応する領域に、第２のエリアＳｂ、Ｓｂ、・・・から偏光板ｄを介して出射される偏光の偏光方向を９０°変換する１／２波長板ｅ、ｅ、・・・がそれぞれ貼着されている。従って、１／２波長板ｅ、ｅ、・・・によって第２のエリアＳｂ、Ｓｂ、・・・から偏光板ｄを介して出射される偏光の偏光角が右肩上がりに変換される。
【０００６】
偏光メガネｆは、例えば、右肩上がりの偏光角を有する横長の偏光板ｇを有し、該偏光板ｇの右半部の画像表示面ｂ側の面には、立体画像表示装置ａの１／２波長板ｅ、ｅ、・・・と光軸が直交する１／２波長板ｈが貼着されている。
【０００７】
上記のように構成された立体画像表示装置ａの画像表示面ｂを偏光メガネｆを用いて観賞すると、偏光板ｇを通して見る観賞者の左眼Ｅｌにあっては、右眼用画像ｃＲ、ｃＲ、・・・は立体画像表示装置ａの偏光板ｄと偏光メガネｆの偏光板ｇの偏光角が直交しているため観賞することができない。これに対し、左眼用画像ｃＬ、ｃＬ、・・・は偏光角が互いに直交する偏光板ｄ、ｇ間に存在する１／２波長板ｅ、ｅ、・・・によって、第２のエリアＳｂ、Ｓｂ、・・・から偏光板ｄを介して出射される偏光の偏光方向が９０°変換されるため観賞することができる。
【０００８】
一方、偏光板ｇを通して見る観賞者の右眼Ｅｒにあっては、左眼用画像ｃＬ、ｃＬ、・・・は偏光角が互いに直交する偏光板ｄ、ｇ間に存在する１／２波長板ｅ、ｅ、・・・によって、第２のエリアＳｂ、Ｓｂ、・・・から偏光板ｄを介して出射される偏光の偏光方向が９０°変換されるが、この偏光方向が変換された偏光の偏光方向が、光軸が直交されている１／２波長板ｈによって元に戻されるため観賞することができない。これに対し、右眼用画像ｃＲ、ｃＲ、・・・は偏光角が互いに直交する偏光板ｄ、ｇ間に存在する１／２波長板ｈによって、第２のエリアＳｂ、Ｓｂ、・・・から偏光板ｄを介して出射される偏光の偏光方向が９０°変換されるため観賞することができる。
【０００９】
従って、左眼Ｅｌでは左眼用画像ｃＬ、ｃＬ、・・・のみが観賞され、右眼Ｅｒでは右眼用画像ｃＲ、ｃＲ、・・・のみが観賞されることになり、観賞者は左眼用画像ｃＬ、ｃＬ、・・・と右眼用画像ｃＲ、ｃＲ、・・・により組み立てられた立体画像を観賞することができる。
【００１０】
また、立体画像表示装置によっては、上記とは偏光方向が異なる偏光板を有するタイプがあり、このような立体画像表示装置及び立体画像を観賞するための偏光メガネの従来の一例を以下に示す（図３３参照）。
【００１１】
立体画像表示装置（液晶表示装置）ｉの画像表示面（液晶表示面）ｊは縦方向に分割された複数の水平エリアＳ、Ｓ、・・・を有し、第１のエリアＳａ、Ｓａ、・・・にそれぞれ右眼用画像ｃＲ、ｃＲ、・・・が表示され、第２のエリアＳｂ、Ｓｂ、・・・にそれぞれ左眼用画像ｃＬ、ｃＬ、・・・がそれぞれ表示される。
【００１２】
画像表示面ｊには、例えば、右肩上がりの偏光角を有する偏光板ｋが貼着されており、該偏光板ｋの観賞者側の面の第２のエリアＳｂ、Ｓｂ、・・・に対応する領域に、第２のエリアＳｂ、Ｓｂ、・・・から偏光板ｋを介して出射される偏光の偏光方向を９０°変換する１／２波長板ｌ、ｌ、・・・がそれぞれ貼着されている。従って、１／２波長板ｌ、ｌ、・・・によって第２のエリアＳｂ、Ｓｂ、・・・から偏光板ｋを介して出射される偏光の偏光角が左肩上がりに変換される。
【００１３】
偏光メガネｍは、例えば、左肩上がりの偏光角を有する横長の偏光板ｎを有し、該偏光板ｎの右半部の画像表示面ｊ側の面には、立体画像表示装置ｉの１／２波長板ｌ、ｌ、・・・と光軸が直交する１／２波長板ｏが貼着されている。
【００１４】
上記のように構成された立体画像表示装置ｉの画像表示面ｊを偏光メガネｍを用いて観賞すると、偏光板ｎを通して見る観賞者の左眼Ｅｌにあっては、右眼用画像ｃＲ、ｃＲ、・・・は立体画像表示装置ｉの偏光板ｋと偏光メガネｍの偏光板ｎの偏光角が直交しているため観賞することができない。これに対し、左眼用画像ｃＬ、ｃＬ、・・・は偏光角が互いに直交する偏光板ｋ、ｎ間に存在する１／２波長板ｌ、ｌ、・・・によって、第２のエリアＳｂ、Ｓｂ、・・・から偏光板ｋを介して出射される偏光の偏光方向が９０°変換されるため観賞することができる。
【００１５】
一方、偏光板ｎを通して見る観賞者の右眼Ｅｒにあっては、左眼用画像ｃＬ、ｃＬ、・・・は偏光角が互いに直交する偏光板ｋ、ｎ間に存在する１／２波長板ｌ、ｌ、・・・によって、第２のエリアＳｂ、Ｓｂ、・・・から偏光板ｋを介して出射される偏光の偏光方向が９０°変換されるが、この偏光方向が変換された偏光の偏光方向が、光軸が直交されている１／２波長板ｏによって元に戻されるため観賞することができない。これに対し、右眼用画像ｃＲ、ｃＲ、・・・は偏光角が互いに直交する偏光板ｋ、ｎ間に存在する１／２波長板ｏによって、第２のエリアＳｂ、Ｓｂ、・・・から偏光板ｋを介して出射される偏光の偏光方向が９０°変換されるため観賞することができる。
【００１６】
従って、左眼Ｅｌでは左眼用画像ｃＬ、ｃＬ、・・・のみが観賞され、右眼Ｅｒでは右眼用画像ｃＲ、ｃＲ、・・・のみが観賞されることになり、観賞者は左眼用画像ｃＬ、ｃＬ、・・・と右眼用画像ｃＲ、ｃＲ、・・・により組み立てられた立体画像を観賞することができる。
【特許文献１】
特開２００２―１９６２８１号公報（第５―６頁、第３図）
【００１７】
【発明が解決しようとする課題】
ところが、従来の立体画像表示装置ａ及び立体画像表示装置ｉにあっては、偏光板ｄ、ｋによる偏光の傾きが異なっているため、上記したように、立体画像表示装置ａと立体画像表示装置ｉとではそれぞれ異なった専用の偏光メガネｆと偏光メガネｍが必要であり汎用性に乏しく、その分、コスト高となってしまう。
【００１８】
また、観賞者が立体画像の観賞のために折角用意した偏光メガネが、観賞しようとする画像を表示する立体画像表示装置に適合しなかった場合には、立体画像を観賞できないという不都合が生じ得る。
【００１９】
そこで、本発明偏光メガネは、上記した問題点を克服し、立体画像表示装置の画像表示面に表示される画像を観賞する際の汎用性の向上及び使い勝手の向上を図ることを課題とする。
【００２０】
【課題を解決するための手段】
本発明偏光メガネは、上記した課題を解決するために、特定の偏光を分離すると共に左眼又は右眼の一方の眼で観賞するための第１の観賞領域と他方の眼で観賞するための第２の観賞領域とから成る偏光分離手段と、該偏光分離手段の第１の観賞領域の一方の面に貼着された第１の偏光方向変換手段と、上記偏光分離手段の第２の観賞領域の上記一方の面と反対側の他方の面に貼着された第２の偏光方向変換手段とを設けたものである。
【００２１】
別の本発明偏光メガネは、上記した課題を解決するために、特定の偏光を分離すると共に左眼又は右眼の一方の眼で観賞するための第１の観賞領域と他方の眼で観賞するための第２の観賞領域とから成る偏光分離手段と、該偏光分離手段の第１の観賞領域又は第２の観賞領域の一方の面に貼着された第１の偏光方向変換手段と、上記第１の偏光方向変換手段が貼着された領域である第１の観賞領域又は第２の観賞領域の上記一方の面と反対側の他方の面に貼着された第２の偏光方向変換手段とを設けたものである。
【００２２】
従って、本発明偏光メガネにあっては、偏光分離手段を基準として、立体画像表示装置の画像表示面と反対側に位置する偏光方向変換手段は観賞者による画像の観賞の可否に影響しない。
【００２３】
【発明の実施の形態】
以下に、本発明の実施の形態を添付図面に従って説明する。
【００２４】
先ず、偏光メガネ１を用いて観賞する画像が表示される立体画像表示装置について説明する（図１乃至図４参照）。
【００２５】
立体画像表示装置１０は、例えば、パーソナルコンピュータであり、ディスプレイ１１を有している（図１参照）。ディスプレイ１１の前面には液晶パネルを有する画像表示面１２が設けられ、該画像表示面１２は縦方向に等分に分割された複数の水平エリア１３、１３、・・・を有している。水平エリア１３、１３、・・・は、例えば、上方側から数えて奇数のエリアが第１のエリア１３ａ、１３ａ、・・・として形成され、偶数のエリアが第２のエリア１３ｂ、１３ｂ、・・・として形成されている。
【００２６】
第１のエリア１３ａ、１３ａ、・・・と第２のエリア１３ｂ、１３ｂ、・・・とには、それぞれ両眼の視差に対応した画像情報が各別に表示され、第１のエリア１３ａ、１３ａ、・・・には、例えば、それぞれ右眼用画像Ｒ、Ｒ、・・・が表示され、第２のエリア１３ｂ、１３ｂ、・・・には、それぞれ左眼用画像Ｌ、Ｌ、・・・が表示される。
【００２７】
画像表示面１２には、例えば、左肩上がりの偏光角を有する偏光板１４が貼着されており、該偏光板１４の前面の第２のエリア１３ｂ、１３ｂ、・・・に対応する領域に、第２のエリア１３ｂ、１３ｂ、・・・から偏光板１４を介して出射される偏光の偏光方向を９０°変換する位相差板（１／２波長板）１５、１５、・・・がそれぞれ貼着されている。従って、位相差板１５、１５、・・・によって第２のエリア１３ｂ、１３ｂ、・・・から偏光板１４を介して出射される偏光の偏光角が右肩上がりに変換される。
【００２８】
上記に示した立体画像表示装置１０は、偏光板１４が左肩上がりの偏光角を有し、第１のエリア１３ａ、１３ａ、・・・にそれぞれ右眼用画像Ｒ、Ｒ、・・・が表示され、第２のエリア１３ｂ、１３ｂ、・・・にそれぞれ左眼用画像Ｌ、Ｌ、・・・が表示されるタイプ（以下、「タイプＩ」と言う。）であるが、立体画像表示装置にはタイプＩの他に、以下に示すタイプＩＩ、タイプＩＩＩ及びタイプＩＶがある。
【００２９】
タイプＩＩの立体画像表示装置２０は、ディスプレイ２１の前面に液晶パネルを有する画像表示面２２が設けられ、該画像表示面２２は縦方向に等分に分割された複数の水平エリア２３、２３、・・・を有している（図２参照）。水平エリア２３、２３、・・・の第１のエリア２３ａ、２３ａ、・・・と第２のエリア２３ｂ、２３ｂ、・・・とには、それぞれ両眼の視差に対応した画像情報が各別に表示され、第１のエリア２３ａ、２３ａ、・・・にそれぞれ左眼用画像Ｌ、Ｌ、・・・が表示され、第２のエリア２３ｂ、２３ｂ、・・・にそれぞれ右眼用画像Ｒ、Ｒ、・・・が表示される。
【００３０】
画像表示面２２には、左肩上がりの偏光角を有する偏光板２４が貼着されており、該偏光板２４の前面の第２のエリア２３ｂ、２３ｂ、・・・に対応する領域に、第２のエリア２３ｂ、２３ｂ、・・・から偏光板２４を介して出射される偏光の偏光方向を９０°変換する位相差板（１／２波長板）２５、２５、・・・がそれぞれ貼着されている。従って、位相差板２５、２５、・・・によって第２のエリア２３ｂ、２３ｂ、・・・から偏光板２４を介して出射される偏光の偏光角が右肩上がりに変換される。
【００３１】
上記のように、タイプＩＩの立体画像表示装置２０は、偏光板２４が左肩上がりの偏光角を有し、第１のエリア２３ａ、２３ａ、・・・にそれぞれ左眼用画像Ｌ、Ｌ、・・・が表示され、第２のエリア２３ｂ、２３ｂ、・・・にそれぞれ右眼用画像Ｒ、Ｒ、・・・が表示される。
【００３２】
タイプＩＩＩの立体画像表示装置３０は、ディスプレイ３１の前面に液晶パネルを有する画像表示面３２が設けられ、該画像表示面３２は縦方向に等分に分割された複数の水平エリア３３、３３、・・・を有している（図３参照）。水平エリア３３、３３、・・・の第１のエリア３３ａ、３３ａ、・・・と第２のエリア３３ｂ、３３ｂ、・・・とには、それぞれ両眼の視差に対応した画像情報が各別に表示され、第１のエリア３３ａ、３３ａ、・・・にそれぞれ右眼用画像Ｒ、Ｒ、・・・が表示され、第２のエリア３３ｂ、３３ｂ、・・・にそれぞれ左眼用画像Ｌ、Ｌ、・・・が表示される。
【００３３】
画像表示面３２には、右肩上がりの偏光角を有する偏光板３４が貼着されており、該偏光板３４の前面の第２のエリア３３ｂ、３３ｂ、・・・に対応する領域に、第２のエリア３３ｂ、３３ｂ、・・・から偏光板３４を介して出射される偏光の偏光方向を９０°変換する位相差板（１／２波長板）３５、３５、・・・がそれぞれ貼着されている。従って、位相差板３５、３５、・・・によって第２のエリア３３ｂ、３３ｂ、・・・から偏光板３４を介して出射される偏光の偏光角が左肩上がりに変換される。
【００３４】
上記のように、タイプＩＩＩの立体画像表示装置３０は、偏光板３４が右肩上がりの偏光角を有し、第１のエリア３３ａ、３３ａ、・・・にそれぞれ右眼用画像Ｒ、Ｒ、・・・が表示され、第２のエリア３３ｂ、３３ｂ、・・・にそれぞれ左眼用画像Ｌ、Ｌ、・・・が表示される。
【００３５】
タイプＩＶの立体画像表示装置４０は、ディスプレイ４１の前面に液晶パネルを有する画像表示面４２が設けられ、該画像表示面４２は縦方向に等分に分割された複数の水平エリア４３、４３、・・・を有している（図４参照）。水平エリア４３、４３、・・・の第１のエリア４３ａ、４３ａ、・・・と第２のエリア４３ｂ、４３ｂ、・・・とには、それぞれ両眼の視差に対応した画像情報が各別に表示され、第１のエリア４３ａ、４３ａ、・・・にそれぞれ左眼用画像Ｌ、Ｌ、・・・が表示され、第２のエリア４３ｂ、４３ｂ、・・・にそれぞれ右眼用画像Ｒ、Ｒ、・・・が表示される。
【００３６】
画像表示面４２には、右肩上がりの偏光角を有する偏光板４４が貼着されており、該偏光板４４の前面の第２のエリア４３ｂ、４３ｂ、・・・に対応する領域に、第２のエリア４３ｂ、４３ｂ、・・・から偏光板４４を介して出射される偏光の偏光方向を９０°変換する位相差板（１／２波長板）４５、４５、・・・がそれぞれ貼着されている。従って、位相差板４５、４５、・・・によって第２のエリア４３ｂ、４３ｂ、・・・から偏光板４４を介して出射される偏光の偏光角が左肩上がりに変換される。
【００３７】
上記のように、タイプＩＶの立体画像表示装置４０は、偏光板４４が右肩上がりの偏光角を有し、第１のエリア４３ａ、４３ａ、・・・にそれぞれ左眼用画像Ｌ、Ｌ、・・・が表示され、第２のエリア４３ｂ、４３ｂ、・・・にそれぞれ右眼用画像Ｒ、Ｒ、・・・が表示される。
【００３８】
次に、偏光メガネの第１の実施の形態について説明する。
【００３９】
偏光メガネ１は、例えば、左肩上がりの偏光角を有する横長の板状を為す偏光分離手段２を有し、該偏光分離手段２として、例えば、偏光板が用いられている（図５及び図６参照）。偏光分離手段２は特定の偏光を分離する機能を有し、例えば、立体画像表示装置１０、２０、３０、４０の画像表示面１１、２１、３１、４１側を向く面又はその反対側を向く面が一方の面３と他方の面４として形成されている。
【００４０】
偏光分離手段２は、左右方向における中央部を基準として、左右方向における一方の半部が一方の眼（左眼Ｅｌ又は右眼Ｅｒ）で観賞するための第１の観賞領域２ａとされ、左右方向における他方の半部が他方の眼（右眼Ｅｒ又は左眼Ｅｌ）で観賞するための第２の観賞領域２ｂとされている。
【００４１】
例えば、偏光分離手段２の一方の面３には、第１の観賞領域２ａに第１の偏光方向変換手段５が貼着されている。第１の偏光方向変換手段５は入射される偏光の偏光方向を９０°変換する機能を有し、第１の偏光方向変換手段５として、例えば、１／２波長板が用いられている。
【００４２】
偏光分離手段２の他方の面４には、第２の観賞領域２ｂに第２の偏光方向変換手段６が貼着されている。第２の偏光方向変換手段６も第１の偏光方向変換手段５と同様に、入射される偏光の偏光方向を９０°変換する機能を有し、第２の偏光方向変換手段６として、例えば、１／２波長板が用いられている。
【００４３】
第１の偏光方向変換手段５と第２の偏光方向変換手段６の光軸は、立体画像表示装置１０、２０、３０、４０の各位相差板１５、１５、・・・、２５、２５、・・・、３５、３５、・・・、４５、４５、・・・の光軸と直交されており、各位相差板１５、１５、・・・、２５、２５、・・・、３５、３５、・・・、４５、４５、・・・の位相差が第１の偏光方向変換手段５と第２の偏光方向変換手段６とによって相殺されるようになっている。
【００４４】
偏光メガネ１は、図６に示すように、偏光分離手段２の偏光方向が左肩上がりの状態において、左眼Ｅｌ側に偏光分離手段２を挟んで観賞者と反対側に第１の偏光方向変換手段５を位置させ、右眼Ｅｒ側に偏光分離手段２を挟んで観賞者側に第２の偏光方向変換手段６を位置させたときの使用状態（以下、「使用状態Ａ」と言う。）では、以下のように作用する。
【００４５】
偏光分離手段２を通して見る観賞者の左眼Ｅｌにあっては、左肩上がりの偏光角を有する偏光が第１の偏光方向変換手段５に入射されると、偏光の偏光方向が９０°変換され右肩上がりとなるため画像を観賞することができないが、右肩上がりの偏光角を有する偏光が第１の偏光方向変換手段５に入射されると、偏光の偏光方向が９０°変換され左肩上がりとなるため画像を観賞することができる。
【００４６】
一方、偏光分離手段２を通して見る観賞者の右眼Ｅｒにあっては、第２の偏光方向変換手段６が観賞者側に位置されているため、該第２の偏光方向変換手段６によって偏光方向が９０°変換されても観賞の可否に影響を及ぼすことはなく、右肩上がりの偏光角を有する偏光が偏光分離手段２に入射されると画像を観賞することができないが、左肩上がりの偏光角を有する偏光が偏光分離手段２に入射されると画像を観賞することができる。
【００４７】
偏光メガネ１には、上記した使用状態Ａの他に、使用状態Ｂ、使用状態Ｃ及び使用状態Ｄの３つの使用状態がある（図７乃至図９参照）。
【００４８】
使用状態Ｂは、使用状態Ａから偏光分離手段２をその上縁と下縁が反対側に位置するように偏光メガネ１を反転し（例えば、図６のＢ方向）、偏光角が右肩上がりになるようにした状態である（図７参照）。
【００４９】
使用状態Ｂでは、左眼Ｅｌ側に偏光分離手段２を挟んで観賞者側に第１の偏光方向変換手段５が位置され、右眼Ｅｒ側に偏光分離手段２を挟んで観賞者と反対側に第２の偏光方向変換手段６が位置され、偏光分離手段２の偏光角は右肩上がりとなる。
【００５０】
偏光分離手段２を通して見る観賞者の左眼Ｅｌにあっては、第１の偏光方向変換手段５が観賞者側に位置されているため、該第１の偏光方向変換手段５によって偏光方向が９０°変換されても観賞の可否に影響を及ぼすことはなく、左肩上がりの偏光角を有する偏光が偏光分離手段２に入射されると画像を観賞することができないが、右肩上がりの偏光角を有する偏光が偏光分離手段２に入射されると画像を観賞することができる。
【００５１】
一方、偏光分離手段２を通して見る観賞者の右眼Ｅｒにあっては、右肩上がりの偏光角を有する偏光が第２の偏光方向変換手段６に入射されると、偏光の偏光方向が９０°変換され左肩上がりとなるため画像を観賞することができないが、左肩上がりの偏光角を有する偏光が第２の偏光方向変換手段６に入射されると、偏光の偏光方向が９０°変換され右肩上がりとなるため画像を観賞することができる。
【００５２】
使用状態Ｃは、使用状態Ａから偏光分離手段２をその左縁と右縁が反対側に位置するように偏光メガネ１を反転し（例えば、図６のＣ方向）、偏光角が右肩上がりになるようにした状態である（図８参照）。
【００５３】
使用状態Ｃでは、左眼Ｅｌ側に偏光分離手段２を挟んで観賞者と反対側に第２の偏光方向変換手段６が位置され、右眼Ｅｒ側に偏光分離手段２を挟んで観賞者側に第１の偏光方向変換手段５が位置され、偏光分離手段２の偏光角は右肩上がりとなる。
【００５４】
偏光分離手段２を通して見る観賞者の左眼Ｅｌにあっては、右肩上がりの偏光角を有する偏光が第２の偏光方向変換手段６に入射されると、偏光の偏光方向が９０°変換され左肩上がりとなるため画像を観賞することができないが、左肩上がりの偏光角を有する偏光が第２の偏光方向変換手段６に入射されると、偏光の偏光方向が９０°変換され右肩上がりとなるため画像を観賞することができる。
【００５５】
一方、偏光分離手段２を通して見る観賞者の右眼Ｅｒにあっては、第１の偏光方向変換手段５が観賞者側に位置されているため、該第１の偏光方向変換手段５によって偏光方向が９０°変換されても観賞の可否に影響を及ぼすことはなく、左肩上がりの偏光角を有する偏光が偏光分離手段２に入射されると画像を観賞することができないが、右肩上がりの偏光角を有する偏光が偏光分離手段２に入射されると画像を観賞することができる。
【００５６】
使用状態Ｄは、使用状態Ａから偏光分離手段２をその左縁と右縁が反対側に位置するように偏光メガネ１を反転し（例えば、図６のＤ方向）、偏光角が左肩上がりになるようにした状態である（図９参照）。
【００５７】
使用状態Ｄでは、左眼Ｅｌ側に偏光分離手段２を挟んで観賞者側に第２の偏光方向変換手段６が位置され、右眼Ｅｒ側に偏光分離手段２を挟んで観賞者と反対側に第１の偏光方向変換手段５が位置され、偏光分離手段２の偏光角は左肩上がりとなる。
【００５８】
偏光分離手段２を通して見る観賞者の左眼Ｅｌにあっては、第２の偏光方向変換手段６が観賞者側に位置されているため、該第２の偏光方向変換手段６によって偏光方向が９０°変換されても観賞の可否に影響を及ぼすことはなく、右肩上がりの偏光角を有する偏光が偏光分離手段２に入射されると画像を観賞することができないが、左肩上がりの偏光角を有する偏光が偏光分離手段２に入射されると画像を観賞することができる。
【００５９】
一方、偏光分離手段２を通して見る観賞者の右眼Ｅｒにあっては、左肩上がりの偏光角を有する偏光が第１の偏光方向変換手段５に入射されると、偏光の偏光方向が９０°変換され右肩上がりとなるため画像を観賞することができないが、右肩上がりの偏光角を有する偏光が第１の偏光方向変換手段５に入射されると、偏光の偏光方向が９０°変換され左肩上がりとなるため画像を観賞することができる。
【００６０】
次に、偏光メガネ１の使用態様の一例について説明する（図１０参照）。この使用態様の例は、使用状態ＡにおいてタイプＩＶの立体画像表示装置１０の画像表示面４２に表示される画像を観賞する場合の例である。
【００６１】
立体画像表示装置４０の画像表示面４２には、第１のエリア４３ａ、４３ａ、・・・にそれぞれ左眼用画像Ｌ、Ｌ、・・・が表示され、第２のエリア４３ｂ、４３ｂ、・・・にそれぞれ右眼用画像Ｒ、Ｒ、・・・が表示されている。偏光板４４は右肩上がりの偏光角を有している。
【００６２】
画像表示面４２を使用状態Ａで偏光メガネ１によって観賞すると、偏光分離手段２を通して見る観賞者の左眼Ｅｌにあっては、右眼用画像Ｒ、Ｒ、・・・は、偏光角が直交する偏光板４４と偏光分離手段２との間に存在する位相差板４５、４５、・・・によって、第２のエリア４３ｂ、４３ｂ、・・・から偏光板４４を介して出射される偏光の偏光角が約９０°回転されるが、第１の偏光方向変換手段５によって座標軸が９０°回転したことによって位相差が相殺され、恰も位相差板４５、４５、・・・が存在していない状態となる。そのため、偏光板４４と偏光分離手段２の偏光状態（直交）となり観賞することができない。また、光は完全に遮断されクロストークは生じない。これに対し、左眼用画像Ｌ、Ｌ、・・・は、偏光角が直交する偏光板４４と偏光分離手段２との間に存在する第１の偏光方向変換手段５によって、第１のエリア４３ｂ、４３ｂ、・・・から偏光板４４を介して出射される偏光の偏光方向が９０°変換されるため観賞することができる。
【００６３】
一方、偏光分離手段２を通して見る観賞者の右眼Ｅｒにあっては、左眼用画像Ｌ、Ｌ、・・・は、偏光板４４と偏光分離手段２との偏光角が直交するため観賞することができない。これに対し、右眼用画像Ｒ、Ｒ、・・・は、偏光角が直交する偏光板４４と偏光分離手段２との間に存在する位相差板４５、４５、・・・によって、第２のエリア４３ｂ、４３ｂ、・・・から偏光板４４を介して出射される偏光の偏光方向が９０°変換されるため、観賞者側に存在する第２の偏光方向変換手段６によって透過された偏光の偏光方向が９０°変換されても観賞することができる。
【００６４】
図１１は、偏光メガネ１の各使用状態Ａ、Ｂ、Ｃ、Ｄに対する立体画像表示装置の適合のタイプ（タイプＩからタイプＩＶ）を示した図表である。図中、「○」は画像を観賞できる場合を示し、「×」は画像を観賞できない場合を示している。尚、立体画像装置の偏光板と偏光メガネ１の偏光分離手段２との偏光が同じ場合には、位相差板を介して平行状態の偏光を直交状態の偏光にするが、位相差板の波長依存性（波長によって回転角が異なる）のために、偏光が完全に直交せず左眼Ｅｌ又は右眼Ｅｒに逆側の画像が漏れて観賞されてしまうおそれがある。このような場合は、図中に「△」で示している。
【００６５】
図１１に示す通り、タイプＩ乃至タイプＩＶとも、偏光メガネ１の所定の使用状態において、表示される画像を観賞することができる。タイプＩ乃至タイプＩＶに対して何れの使用状態で偏光メガネ１を使用できるか否かの判別は、任意の使用状態から偏光メガネ１を任意の方向（例えば、図６に示すＢ、Ｃ、Ｄ方向）へ反転し、両眼Ｅｌ、Ｅｒによって画像を観賞できるか否かを確認することにより行うことができる。
【００６６】
以上に記載した通り、偏光メガネ１にあっては、各種のタイプの立体画像表示装置１０、２０、３０、４０の画像表示面１２、２２、３２、４２に表示される画像を所定の使用状態において観賞することができるため、汎用性の向上が図られ、その分、コストの低減を図ることができる。
【００６７】
また、観賞者が立体画像の観賞のために折角用意した偏光メガネが、観賞しようとする画像を表示する立体画像表示装置に適合しないという不都合を生じることがなく、使い勝手の向上を図ることができる。
【００６８】
上記には、偏光分離手段２に第１の偏光方向変換手段５及び第２の偏光方向変換手段６を貼着した偏光メガネ１について説明したが、第１の偏光方向変換手段５及び第２の偏光方向変換手段６の偏光分離手段２からの剥がれの防止等を目的として、以下に示す偏光メガネ１Ａのように、表面を透明保護層によって覆うことも可能である（図１２乃至図１４参照）。
【００６９】
偏光メガネ１Ａは、偏光分離手段２の一方の面３及び他方の面４上に、第１の偏光方向変換手段５と第２の偏光方向変換手段６とを覆うようにしてそれぞれ透明保護層７、７が設けられ、該透明保護層７、７の外面７ａ、７ａは平面に形成されている。
【００７０】
透明保護層７、７は、複屈折性が低く、耐吸湿性、耐摩耗性、耐光性及び耐薬品性が高い材料によって形成することが好ましい。このような材料としては、例えば、アクリル系樹脂（ポリメタアクリル酸メチル樹脂等）、ポリカーボネート、ポリプロピレン等を使用することができる。また、シリコンゴム等の使用も可能である。
【００７１】
このように透明保護層７、７を設けることにより、第１の偏光方向変換手段５及び第２の偏光方向変換手段６の偏光分離手段２からの剥がれを防止することができると共に第１の偏光方向変換手段５及び第２の偏光方向変換手段６の吸湿等による劣化を防止することができる。
【００７２】
次に、偏光メガネ１（又は偏光メガネ１Ａ）を所望の使用状態となるように反転する各反転機構について説明する（図１５乃至図２０参照）。
【００７３】
反転機構５０は偏光分離手段２の偏光角を９０°変換すると共に第１の偏光方向変換手段５と第２の偏光方向変換手段６の前後の位置を反転する機能を有し、基台部５１と支持筒部５２と被支持軸部５３と回転軸部５４とを備えている（図１５及び図１６参照）。
【００７４】
支持筒部５２は基台部５１から上方へ突出されている。被支持軸部５３は上下方向に長く形成され、支持筒部５２に上下方向に移動自在に支持されている。回転軸部５４は左右方向に長く形成され、一端寄りの部分が被支持軸部５３の上端部に軸回り方向へ回転自在に支持されている。回転軸部５４には偏光メガネ１の一端縁が取り付けられている。
【００７５】
例えば、使用状態Ａにおいては、偏光メガネ１の上端縁が回転軸部５４に取り付けられており（図１５参照）、この状態から回転軸部５４を１８０°回転することにより使用状態Ｂとなる。使用状態Ｂとなったときには、使用状態Ａと比較して偏光メガネ１が上方へ位置されるため、被支持軸部５３を下方へ移動して立体画像表示装置１０（２０、３０、４０）に対する偏光メガネ１の位置を使用状態Ａの場合と同様にすることができる（図１６参照）。
【００７６】
逆に、使用状態Ｂから回転軸部５４を１８０°回転することにより使用状態Ａとなる。
【００７７】
尚、反転機構５０においては、回転軸部５４に予め偏光メガネ１を使用状態Ｃ又は使用状態Ｄで取り付けておくことにより、使用状態Ｃと使用状態Ｄとの間の相互の反転も可能である。
【００７８】
反転機構６０は偏光分離手段２の偏光角を９０°変換すると共に第１の偏光方向変換手段５と第２の偏光方向変換手段６の左右の位置を反転する機能を有し、基台部６１と回転軸部６２と取付軸部６３とを備えている（図１７及び図１８参照）。
【００７９】
基台部６１には左右方向に延びる案内溝６１ａが形成されている。回転軸部６２は上下方向に長く形成され、基台部６１に軸回り方向へ回転自在、かつ、左右方向へ移動自在に支持されている。取付軸部６３は一端部が回転軸部６２の上端部に固定され、回転軸部６２と直交する方向へ長く形成されている。取付軸部６３には偏光メガネ１の一端縁が取り付けられている。
【００８０】
例えば、使用状態Ａにおいては、偏光メガネ１の上端縁が取付軸部６３に取り付けられており（図１７参照）、この状態から回転軸部６２を１８０°回転することにより使用状態Ｃとなる。使用状態Ｃとなったときには、使用状態Ａと比較して偏光メガネ１が左方へ位置されるため、回転軸部６２を案内溝６１ａに沿って右方へ移動して立体画像表示装置１０（２０、３０、４０）に対する偏光メガネ１の位置を使用状態Ａの場合と同様にすることができる（図１８参照）。
【００８１】
逆に、使用状態Ｃから回転軸部６２を１８０°回転することにより使用状態Ａとなる。
【００８２】
尚、反転機構６０においては、取付軸部６３に予め偏光メガネ１を使用状態Ｂ又は使用状態Ｄで取り付けておくことにより、使用状態Ｂと使用状態Ｄとの間の相互の反転も可能である。
【００８３】
反転機構７０は偏光分離手段２の偏光角を変換することなく第１の偏光方向変換手段５と第２の偏光方向変換手段６の左右の位置を反転する機能を有し、基台部７１と支持筒部７２と被支持軸部７３と支持突部７４と回転軸部７５とを備えている（図１９及び図２０参照）。
【００８４】
基台部７１には左右方向に延びる案内溝７１ａが形成されている。支持筒部７２は上下方向に長く形成され、基台部７１に左右方向へ移動自在に支持されている。被支持軸部７３は上下方向に長く形成され、支持筒部７２に上下方向へ移動自在に支持されている。支持突部７４は被支持軸部７３の上端部から、例えば、前方へ突出されている。回転軸部７５は被支持軸部７３と直交する方向へ長く形成され、一端部が支持突部７４に、その軸回り方向へ回転自在に支持されている。回転軸部７５には偏光メガネ１の一端縁が取り付けられている。
【００８５】
例えば、使用状態Ａにおいては、偏光メガネ１の上端縁が回転軸部７５に取り付けられており（図１９参照）、この状態から回転軸部７５を１８０°回転することにより使用状態Ｄとなる。使用状態Ｄとなったときには、使用状態Ａと比較して偏光メガネ１が上方かつ左方に位置されるため、被支持軸部７３を下方へ移動すると共に支持筒部７２を案内溝７１ａに沿って右方へ移動して立体画像表示装置１０（２０、３０、４０）に対する偏光メガネ１の位置を使用状態Ａの場合と同様にすることができる（図２０参照）。
【００８６】
逆に、使用状態Ｄから回転軸部７５を１８０°回転することにより使用状態Ａとなる。
【００８７】
尚、反転機構７０においては、回転軸部７５に予め偏光メガネ１を使用状態Ｂ又は使用状態Ｃで取り付けておくことにより、使用状態Ｂと使用状態Ｃとの間の相互の反転も可能である。
【００８８】
また、上記した反転機構５０、６０、７０にあっては、それぞれ偏光メガネ１を回転軸部５４、取付軸部６３又は回転軸部７５に着脱可能とすることにより、使用状態Ａ、Ｂ、Ｃ、Ｄの何れの使用状態でも偏光メガネ１を使用することが可能である。
【００８９】
上記したように、反転機構５０、６０、７０を用いることにより、容易に偏光メガネ１（偏光メガネ１Ａ）の所望の使用状態を得ることができ、使い勝手の向上を図ることができる。
【００９０】
次に、偏光メガネの第２の実施の形態について説明する。尚、以下に示す第２の実施の形態に係る偏光メガネ１Ｂは、上記した偏光メガネ１と比較して、偏光分離手段の第１の観賞領域又は第２の観賞領域の一方の領域に偏光方向変換手段が貼着されていることのみが相違するため、偏光メガネ１と比較して異なる部分についてのみ詳細に説明をし、その他の部分については偏光メガネ１における同様の部分に付した符号と同じ符号を付して説明は省略する。
【００９１】
偏光メガネ１Ｂは、偏光分離手段２の第１の観賞領域２ａ又は第２の観賞領域２ｂの一方に、一方の面３と他方の面４とにそれぞれ第１の偏光方向変換手段５Ｂと第２の偏光方向変換手段６Ｂとが貼着されている（図２１及び図２２参照）。第１の偏光方向変換手段５Ｂと第２の偏光方向変換手段６Ｂとは、折返し部８を介して連続されて一体に形成されている。
【００９２】
第１の偏光方向変換手段５Ｂと第２の偏光方向変換手段６Ｂの光軸は、立体画像表示装置１０、２０、３０、４０の各位相差板１５、１５、・・・、２５、２５、・・・、３５、３５、・・・、４５、４５、・・・の光軸と直交されており、各位相差板１５、１５、・・・、２５、２５、・・・、３５、３５、・・・、４５、４５、・・・の位相差が第１の偏光方向変換手段５Ｂと第２の偏光方向変換手段６Ｂとによって相殺されるようになっている。
【００９３】
上記のように偏光メガネ１Ｂにあっては、第１の偏光方向変換手段５Ｂと第２の偏光方向変換手段６Ｂとが一体に形成されているため、部品点数の削減を図ることができ、製造コストの低減を図ることができる。
【００９４】
偏光メガネ１Ｂは、図２２に示すように、偏光分離手段２の偏光方向が左肩上がりの状態において、左眼Ｅｌ側に偏光分離手段２を挟んで観賞者と反対側に第１の偏光方向変換手段５Ｂを位置させ、右眼Ｅｒ側に偏光分離手段２を挟んで観賞者側に第２の偏光方向変換手段６Ｂを位置させたときの使用状態（以下、「使用状態Ｅ」と言う。）では、以下のように作用する。
【００９５】
偏光分離手段２を通して見る観賞者の左眼Ｅｌにあっては、左肩上がりの偏光角を有する偏光が第１の偏光方向変換手段５Ｂに入射されると、偏光の偏光方向が９０°変換され右肩上がりとなるため画像を観賞することができないが、右肩上がりの偏光角を有する偏光が第１の偏光方向変換手段５Ｂに入射されると、偏光の偏光方向が９０°変換され左肩上がりとなるため画像を観賞することができる。尚、第２の偏光方向変換手段６Ｂは観賞者側に位置されているため、該第２の偏光方向変換手段６Ｂによって偏光方向が９０°変換されても観賞の可否に影響を及ぼすことはない。
【００９６】
一方、偏光分離手段２を通して見る観賞者の右眼Ｅｒにあっては、右肩上がりの偏光角を有する偏光が偏光分離手段２に入射されると画像を観賞することができないが、左肩上がりの偏光角を有する偏光が偏光分離手段２に入射されると画像を観賞することができる。
【００９７】
偏光メガネ１Ｂには、上記した使用状態Ｅの他に、使用状態Ｆ、使用状態Ｇ及び使用状態Ｈの３つの使用状態がある（図２３乃至図２５参照）。
【００９８】
使用状態Ｆは、使用状態Ｅから偏光分離手段２をその上縁と下縁が反対側に位置するように偏光メガネ１Ｂを反転し（例えば、図２２のＦ方向）、偏光角が右肩上がりになるようにした状態である（図２３参照）。
【００９９】
使用状態Ｆでは、左眼Ｅｌ側に偏光分離手段２を挟んで観賞者側に第１の偏光方向変換手段５Ｂが位置され、同じく左眼Ｅｌ側に偏光分離手段２を挟んで観賞者と反対側に第２の偏光方向変換手段６Ｂが位置され、偏光分離手段２の偏光角は右肩上がりとなる。
【０１００】
偏光分離手段２を通して見る観賞者の左眼Ｅｌにあっては、右肩上がりの偏光角を有する偏光が偏光分離手段２に入射されると、第２の偏光方向変換手段６Ｂによって偏光の偏光方向が９０°変換され左肩上がりとなるため画像を観賞することができないが、左肩上がりの偏光角を有する偏光が偏光分離手段２に入射されると、第２の偏光方向変換手段６Ｂによって偏光の偏光方向が９０°変換され右肩上がりとなるため画像を観賞することができる。尚、第１の偏光方向変換手段５Ｂは観賞者側に位置されているため、該第１の偏光方向変換手段５Ｂによって偏光方向が９０°変換されても観賞の可否に影響を及ぼすことはない。
【０１０１】
一方、偏光分離手段２を通して見る観賞者の右眼Ｅｒにあっては、左肩上がりの偏光角を有する偏光が偏光分離手段２に入射されると画像を観賞することができないが、右肩上がりの偏光角を有する偏光が偏光分離手段２に入射されると画像を観賞することができる。
【０１０２】
使用状態Ｇは、使用状態Ｅから偏光分離手段２をその左縁と右縁が反対側に位置するように偏光メガネ１Ｂを反転し（例えば、図２２のＧ方向）、偏光角が右肩上がりになるようにした状態である（図２４参照）。
【０１０３】
使用状態Ｇでは、右眼Ｅｒ側に偏光分離手段２を挟んで観賞者側に第１の偏光方向変換手段５Ｂが位置され、同じく右眼Ｅｒ側に偏光分離手段２を挟んで観賞者と反対側に第２の偏光方向変換手段６Ｂが位置され、偏光分離手段２の偏光角は右肩上がりとなる。
【０１０４】
偏光分離手段２を通して見る観賞者の左眼Ｅｌにあっては、左肩上がりの偏光角を有する偏光が偏光分離手段２に入射されると画像を観賞することができないが、右肩上がりの偏光角を有する偏光が偏光分離手段２に入射されると画像を観賞することができる。
【０１０５】
一方、偏光分離手段２を通して見る観賞者の右眼Ｅｒにあっては、右肩上がりの偏光角を有する偏光が偏光分離手段２に入射されると、第２の偏光方向変換手段６Ｂによって偏光の偏光方向が９０°変換され左肩上がりとなるため画像を観賞することができないが、左肩上がりの偏光角を有する偏光が偏光分離手段２に入射されると、第２の偏光方向変換手段６Ｂによって偏光の偏光方向が９０°変換され右肩上がりとなるため画像を観賞することができる。尚、第１の偏光方向変換手段５Ｂは観賞者側に位置されているため、該第１の偏光方向変換手段５Ｂによって偏光方向が９０°変換されても観賞の可否に影響を及ぼすことはない。
【０１０６】
使用状態Ｈは、使用状態Ｅから偏光分離手段２をその左縁と右縁が反対側に位置するように偏光メガネ１を反転し（例えば、図２２のＨ方向）、偏光角が左肩上がりになるようにした状態である（図２５参照）。
【０１０７】
使用状態Ｈでは、右眼Ｅｒ側に偏光分離手段２を挟んで観賞者と反対側に第１の偏光方向変換手段５Ｂが位置され、同じく右眼Ｅｒ側に偏光分離手段２を挟んで観賞者側に第２の偏光方向変換手段６Ｂが位置され、偏光分離手段２の偏光角は左肩上がりとなる。
【０１０８】
偏光分離手段２を通して見る観賞者の左眼Ｅｌにあっては、右肩上がりの偏光角を有する偏光が偏光分離手段２に入射されると画像を観賞することができないが、左肩上がりの偏光角を有する偏光が偏光分離手段２に入射されると画像を観賞することができる。
【０１０９】
一方、偏光分離手段２を通して見る観賞者の右眼Ｅｒにあっては、左肩上がりの偏光角を有する偏光が偏光分離手段２に入射されると、第１の偏光方向変換手段５Ｂによって偏光の偏光方向が９０°変換され右肩上がりとなるため画像を観賞することができないが、右肩上がりの偏光角を有する偏光が偏光分離手段２に入射されると、第１の偏光方向変換手段５Ｂによって偏光の偏光方向が９０°変換され左肩上がりとなるため画像を観賞することができる。尚、第２の偏光方向変換手段６Ｂは観賞者側に位置されているため、該第２の偏光方向変換手段６Ｂによって偏光方向が９０°変換されても観賞の可否に影響を及ぼすことはない。
【０１１０】
次に、偏光メガネ１Ｂの使用態様の一例について説明する（図２６参照）。この使用態様の例は、使用状態ＥにおいてタイプＩの立体画像表示装置１０の画像表示面１２に表示される画像を観賞する場合の例である。
【０１１１】
立体画像表示装置１０の画像表示面１２には、第１のエリア１３ａ、１３ａ、・・・にそれぞれ右眼用画像Ｒ、Ｒ、・・・が表示され、第２のエリア１３ｂ、１３ｂ、・・・にそれぞれ左眼用画像Ｌ、Ｌ、・・・が表示されている。偏光板１４は左肩上がりの偏光角を有している。
【０１１２】
画像表示面１２を使用状態Ｅで偏光メガネ１Ｂによって観賞すると、偏光分離手段２を通して見る観賞者の左眼Ｅｌにあっては、右眼用画像Ｒ、Ｒ、・・・は、偏光角が同一の偏光板１４と偏光分離手段２との間に存在する第１の偏光方向変換手段５Ｂによって、第１のエリア１３ａ、１３ａ、・・・から偏光板１４を介して出射される偏光の偏光方向が９０°変換されるため観賞することができない。これに対し、左眼用画像Ｌ、Ｌ、・・・は、偏光角が同一の偏光板１４と偏光分離手段２との間に存在する位相差板１５、１５、・・・によって、第２のエリア１３ｂ、１３ｂ、・・・から偏光板１４を介して出射される偏光の偏光角が約９０°回転されるが、第１の偏光方向変換手段５Ｂによって座標軸が９０°回転したことによって位相差が相殺され、恰も位相差板１５、１５、・・・が存在していない状態となる。そのため、偏光板１４と偏光分離手段２の偏光状態（直交）となり観賞することができる。また、光は完全に遮断されクロストークは生じない。尚、第２の偏光方向変換手段６Ｂは観賞者側に位置されているため、該第２の偏光方向変換手段６Ｂによって偏光方向が９０°変換されても観賞の可否に影響を及ぼすことはない。
【０１１３】
一方、偏光分離手段２を通して見る観賞者の右眼Ｅｒにあっては、左眼用画像Ｌ、Ｌ、・・・は、偏光角が同一の偏光板１４と偏光分離手段２との間に存在する位相差板１５、１５、・・・によって、第２のエリア１３ｂ、１３ｂ、・・・から偏光板１４を介して出射される偏光の偏光方向が９０°変換されるため観賞することができない。これに対し、右眼用画像Ｒ、Ｒ、・・・は、偏光板１４と偏光分離手段２との偏光角が同一であり第１のエリア１３ａ、１３ａ、・・・から偏光板１４を介して出射される偏光が偏光分離手段２を透過されるため観賞することができる。
【０１１４】
図２７は、偏光メガネ１Ｂの各使用状態Ｅ、Ｆ、Ｇ、Ｈに対する立体画像表示装置の適合のタイプ（タイプＩからタイプＩＶ）を示した図表である。図中、「○」は画像を観賞できる場合を示し、「×」は画像を観賞できない場合を示している。尚、図２７においても、図１１と同様に、立体画像装置の偏光板と偏光メガネ１の偏光分離手段２との偏光が同じ場合には、位相差板の波長依存性（波長によって回転角が異なる）のために、左眼Ｅｌ又は右眼Ｅｒに逆側の画像である右眼用画像Ｒ又は左眼用画像Ｌが観賞されてしまうおそれがある場合は、図中に「△」で示している。
【０１１５】
図２７に示す通り、タイプＩ乃至タイプＩＶとも、偏光メガネ１Ｂの所定の使用状態において、表示される画像を観賞することができる。タイプＩ乃至タイプＩＶに対して何れの使用状態で偏光メガネ１を使用できるか否かの判別は、偏光メガネ１の場合と同様に、任意の使用状態から偏光メガネ１Ｂを任意の方向（例えば、図２２に示すＦ、Ｇ、Ｈ方向）へ反転し、両眼Ｅｌ、Ｅｒによって画像を観賞できるか否かを確認することにより行うことができる。
【０１１６】
以上に記載した通り、偏光メガネ１Ｂにあっては、各種のタイプの立体画像表示装置１０、２０、３０、４０の画像表示面１２、２２、３２、４２に表示される画像を所定の使用状態において観賞することができるため、汎用性の向上が図られ、その分、コストの低減を図ることができる。
【０１１７】
また、観賞者が立体画像の観賞のために折角用意した偏光メガネが、観賞しようとする画像を表示する立体画像表示装置に適合しないという不都合を生じることがなく、使い勝手の向上を図ることができる。
【０１１８】
尚、偏光メガネ１Ｂにあっても偏光メガネ１と同様に、表面を透明保護層によって覆うことにより、以下のように偏光メガネ１Ｃとして使用することが可能である（図２８参照）。
【０１１９】
偏光メガネ１Ｃは、偏光分離手段２の一方の面３及び他方の面４上に、第１の偏光方向変換手段５Ｂと第２の偏光方向変換手段６Ｂとを覆うようにしてそれぞれ透明保護層９、９が設けられ、該透明保護層９、９の外面９ａ、９ａは平面に形成されている。
【０１２０】
透明保護層９、９も、偏光メガネ１Ａの透明保護層７、７と同様に、複屈折性が低く、耐吸湿性、耐摩耗性、耐光性及び耐薬品性が高い材料によって形成することが好ましく、例えば、アクリル系樹脂（ポリメタアクリル酸メチル樹脂等）、ポリカーボネート、ポリプロピレン、シリコンゴム等を用いることができる。
【０１２１】
このように透明保護層９、９を設けることにより、第１の偏光方向変換手段５Ｂ及び第２の偏光方向変換手段６Ｂの偏光分離手段２からの剥がれを防止することができると共に第１の偏光方向変換手段５Ｂ及び第２の偏光方向変換手段６Ｂの吸湿等による劣化を防止することができる。
【０１２２】
尚、偏光メガネ１Ｂ及び偏光メガネ１Ｃにあっても、反転機構５０、６０、７０を用いて所定の方向へ反転することにより、所望の使用状態Ｅ、Ｆ、Ｇ、Ｈで使用することができる。
【０１２３】
次に、タイプＩ〜タイプＩＶの立体画像表示装置１０、２０、３０、４０に対して偏光メガネ１、１Ａ、１Ｂ、１Ｃを適正な使用状態（向き）で使用しているか否かを判別する方法について説明する（図２９乃至図３１参照）。この判別法を用いることにより、例えば、画像表示面１２、２２、３２、４２に物体Ｘと物体Ｙが存在し立体画像として物体Ｘが物体Ｙより遠方に存在するように見える状態が正しい見え方である場合に、物体Ｙが物体Ｘより遠方に存在するように誤って見えてしまうような不具合を解消することができる。
【０１２４】
画像表示面１２、２２、３２、４２に図２９に示すような白黒のチェックパターン８０を表示する。チェックパターン８０は、擬似的に等分に、例えば、４分割されており、左上のエリアＡ、左下のエリアＢ、右下のエリアＣ及び右上のエリアＤによって構成されている。エリアＡ及びエリアＣには上側から等間隔に黒、白、黒、白の順に分割パターンが形成されており、エリアＢ及びエリアＤには上側から等間隔に白、黒、白、黒の順に分割パターンが形成されている。従って、チェックパターン８０は縦方向にそれぞれ黒と白の２つずつの分割パターンを有する８個の領域８０ａ、８０ａ、・・・に分割されている。
【０１２５】
領域８０ａ、８０ａ、・・・はそれぞれ水平エリア１３、１３、・・・（２３、２３、・・・、３３、３３、・・・、４３、４３、・・・）の第１のエリア１３ａ、１３ａ、・・・（２３ａ、２３ａ、・・・、３３ａ、３３ａ、・・・、４３ａ、４３ａ、・・・）又は第２のエリア１３ｂ、１３ｂ、・・・（２３ｂ、２３ｂ、・・・、３３ｂ、３３ｂ、・・・、４３ｂ、４３ｂ、・・・）に対応している。従って、領域８０ａ、８０ａ、・・・の分割パターンは、上側から順に右眼用画像Ｒと左眼用画像Ｌとが交互に表されたパターンである。
【０１２６】
上記のようなチェックパターン８０を偏光メガネ１（１Ａ、１Ｂ、１Ｃ）を用いて、先ず、右眼Ｅｒのみで観賞すると、右眼用画像Ｒ、Ｒ、・・・のみが視認されるため、観賞者の右眼Ｅｒに取り込まれる像は図３０に示すような像となる。
【０１２７】
次に、チェックパターン８０を偏光メガネ１（１Ａ、１Ｂ、１Ｃ）を用いて左眼Ｅｌのみで観賞すると、左眼用画像Ｌ、Ｌ、・・・のみが視認されるため、観賞者の左眼Ｅｌに取り込まれる像は図３１に示すような像となる。
【０１２８】
図３０及び図３１に示す像は偏光メガネ１（１Ａ、１Ｂ、１Ｃ）を適正な使用状態（向き）で使用している場合の像である。従って、これらの像を予め認識しておき、偏光メガネ１（１Ａ、１Ｂ、１Ｃ）を使用する際に、右眼Ｅｒと左眼Ｅｌとによってそれぞれチェックパターン８０を観賞し、図３０及び図３１に示す像が右眼Ｅｒと左眼Ｅｌとに取り込まれるか否かを確認することにより、偏光メガネ１（１Ａ、１Ｂ、１Ｃ）を適正な使用状態で使用しているか否かを判別することができる。
【０１２９】
尚、上記には、立体画像表示装置１０、２０、３０、４０の各偏光板１４、２４、３４、４４の偏光方向が斜め方向である例を示したが、偏光板の偏光方向が斜め方向でなく水平方向や垂直方向である場合にも本発明を適用することができる。この場合には、偏光メガネ１、１Ａ、１Ｂ、１Ｃの各偏光分離手段２の偏光方向も斜め方向でなく水平方向や垂直方向となる。
【０１３０】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【０１３１】
【発明の効果】
以上に記載したところから明らかなように、本発明偏光メガネは、視差に対応した画像情報が第１のエリアと第２のエリアとに各別に表示される画像表示面と、該画像表示面に対向して配置された偏光板と、該偏光板の前面の第１のエリア又は第２のエリアの一方のエリアに対応する位置に貼着され偏光方向を変換する位相差板とを備えた立体画像表示装置の上記画像表示面に表示される画像を立体画像として観賞するための偏光メガネであって、特定の偏光を分離すると共に左眼又は右眼の一方の眼で観賞するための第１の観賞領域と他方の眼で観賞するための第２の観賞領域とから成る偏光分離手段と、該偏光分離手段の第１の観賞領域の一方の面に貼着された第１の偏光方向変換手段と、上記偏光分離手段の第２の観賞領域の上記一方の面と反対側の他方の面に貼着された第２の偏光方向変換手段とを備えたことを特徴とする。
【０１３２】
従って、各種のタイプの立体画像表示装置の画像表示面に表示される画像を所定の使用状態において観賞することができるため、汎用性の向上が図られ、その分、コストの低減を図ることができる。
【０１３３】
また、観賞者が立体画像の観賞のために折角用意した偏光メガネが、観賞しようとする画像を表示する立体画像表示装置に適合しないという不都合を生じることがなく、使い勝手の向上を図ることができる。
【０１３４】
請求項２に記載した発明にあっては、偏光分離手段、第１の偏光方向変換手段及び第２の偏光方向変換手段を上記一方の面側及び他方の面側から覆うと共に外面がそれぞれ平面に形成された透明保護層を設けたので、第１の偏光方向変換手段及び第２の偏光方向変換手段の偏光分離手段からの剥がれを防止することができると共に第１の偏光方向変換手段及び第２の偏光方向変換手段の吸湿等による劣化を防止することができる。
【０１３５】
請求項３に記載した発明にあっては、第１の偏光方向変換手段と第２の偏光方向変換手段の左右の位置を反転する反転機構を設けたので、容易に偏光メガネの所望の使用状態を得ることができ、使い勝手の向上を図ることができる。
【０１３６】
請求項４に記載した発明にあっては、第１の偏光方向変換手段と第２の偏光方向変換手段の前後の位置を反転する反転機構を設けたので、容易に偏光メガネの所望の使用状態を得ることができ、使い勝手の向上を図ることができる。
【０１３７】
別の本発明偏光メガネは、視差に対応した画像情報が第１のエリアと第２のエリアとに各別に表示される画像表示面と、該画像表示面に対向して配置された偏光板と、該偏光板の前面の第１のエリア又は第２のエリアの一方のエリアに対応する位置に貼着され偏光方向を変換する位相差板とを備えた立体画像表示装置の上記画像表示面に表示される画像を立体画像として観賞するための偏光メガネであって、特定の偏光を分離すると共に左眼又は右眼の一方の眼で観賞するための第１の観賞領域と他方の眼で観賞するための第２の観賞領域とから成る偏光分離手段と、該偏光分離手段の第１の観賞領域又は第２の観賞領域の一方の面に貼着された第１の偏光方向変換手段と、上記第１の偏光方向変換手段が貼着された領域である第１の観賞領域又は第２の観賞領域の上記一方の面と反対側の他方の面に貼着された第２の偏光方向変換手段とを備えたことを特徴とする。
【０１３８】
従って、各種のタイプの立体画像表示装置の画像表示面に表示される画像を所定の使用状態において観賞することができるため、汎用性の向上が図られ、その分、コストの低減を図ることができる。
【０１３９】
また、観賞者が立体画像の観賞のために折角用意した偏光メガネが、観賞しようとする画像を表示する立体画像表示装置に適合しないという不都合を生じることがなく、使い勝手の向上を図ることができる。
【０１４０】
請求項６に記載した発明にあっては、偏光分離手段、第１の偏光方向変換手段及び第２の偏光方向変換手段を上記一方の面側及び他方の面側から覆うと共に外面がそれぞれ平面に形成された透明保護層を設けたので、第１の偏光方向変換手段及び第２の偏光方向変換手段の偏光分離手段からの剥がれを防止することができると共に第１の偏光方向変換手段及び第２の偏光方向変換手段の吸湿等による劣化を防止することができる。
【０１４１】
請求項７に記載した発明にあっては、第１の偏光方向変換手段と第２の偏光方向変換手段の左右の位置を反転する反転機構を設けたので、容易に偏光メガネの所望の使用状態を得ることができ、使い勝手の向上を図ることができる。
【０１４２】
請求項８に記載した発明にあっては、第１の偏光方向変換手段と第２の偏光方向変換手段の前後の位置を反転する反転機構を設けたので、容易に偏光メガネの所望の使用状態を得ることができ、使い勝手の向上を図ることができる。
【０１４３】
請求項９に記載した発明にあっては、第１の偏光方向変換手段と第２の偏光方向変換手段を折返し部を介して一体に形成したので、部品点数の削減を図ることができ、製造コストの低減を図ることができる。
【図面の簡単な説明】
【図１】図２乃至図３１と共に本発明の実施の形態を示すものであり、本図はタイプＩの立体画像表示装置を示す分解斜視図である。
【図２】タイプＩＩの立体画像表示装置を示す分解斜視図である。
【図３】タイプＩＩＩの立体画像表示装置を示す分解斜視図である。
【図４】タイプＩＶの立体画像表示装置を示す分解斜視図である。
【図５】図６乃至図２０と共に偏光メガネの第１の実施の形態を示すものであり、本図は分解斜視図である。
【図６】偏光メガネの使用状態Ａを示す斜視図である。
【図７】偏光メガネの使用状態Ｂを示す斜視図である。
【図８】偏光メガネの使用状態Ｃを示す斜視図である。
【図９】偏光メガネの使用状態Ｄを示す斜視図である。
【図１０】偏光メガネの使用態様の一例を一部を分解して示す斜視図である。
【図１１】偏光メガネの各使用状態に対する立体画像表示装置の適合のタイプを示した図表である。
【図１２】図１３及び図１４と共に透明保護層によって覆われた偏光メガネを示すものであり、本図は斜視図である。
【図１３】分解斜視図である。
【図１４】拡大断面図である。
【図１５】図１６と共に反転機構を示すものであり、本図は偏光メガネを反転する前の状態を示す斜視図である。
【図１６】偏光メガネを反転した状態を示す斜視図である。
【図１７】図１８と共に別の反転機構を示すものであり、本図は偏光メガネを反転する前の状態を示す斜視図である。
【図１８】偏光メガネを反転した状態を示す斜視図である。
【図１９】図２０と共にさらに別の反転機構を示すものであり、本図は偏光メガネを反転する前の状態を示す斜視図である。
【図２０】偏光メガネを反転した状態を示す斜視図である。
【図２１】
図２２乃至図２８と共に偏光メガネの第２の実施の形態を示すものであり、本図は分解斜視図である。
【図２２】偏光メガネの使用状態Ｅを示す斜視図である。
【図２３】偏光メガネの使用状態Ｆを示す斜視図である。
【図２４】偏光メガネの使用状態Ｇを示す斜視図である。
【図２５】偏光メガネの使用状態Ｈを示す斜視図である。
【図２６】偏光メガネの使用態様の一例を一部を分解して示す斜視図である。
【図２７】偏光メガネの各使用状態に対する立体画像表示装置の適合のタイプを示した図表である。
【図２８】透明保護層によって覆われた偏光メガネを示す拡大断面図である。
【図２９】チェックパターンを示す概念図である。
【図３０】チェックパターンを右眼で見たときの像を示す概念図である。
【図３１】チェックパターンを左眼で見たときの像を示す概念図である。
【図３２】従来の偏光メガネを立体画像表示装置とともに一部を分解して示す斜視図である。
【図３３】別の従来の偏光メガネを立体画像表示装置とともに一部を分解して示す斜視図である。
【符号の説明】
１０…立体画像表示装置、１２…画像表示面、１３ａ…第１のエリア、１３ｂ…第２のエリア、１４…偏光板、１５…位相差板、２０…立体画像表示装置、２２…画像表示面、２３ａ…第１のエリア、２３ｂ…第２のエリア、２４…偏光板、２５…位相差板、３０…立体画像表示装置、３２…画像表示面、３３ａ…第１のエリア、３３ｂ…第２のエリア、３４…偏光板、３５…位相差板、４０…立体画像表示装置、４２…画像表示面、４３ａ…第１のエリア、４３ｂ…第２のエリア、４４…偏光板、４５…位相差板、１…偏光メガネ、２…偏光分離手段、２ａ…第１の観賞領域、２ｂ…第２の観賞領域、３…一方の面、４…他方の面、５…第１の偏光方向変換手段、６…第２の偏光方向変換手段、１Ａ…偏光メガネ、７…透明保護層、７ａ…外面、５０…反転機構、６０…反転機構、７０…反転機構、１Ｂ…偏光メガネ、８…折返し部、５Ｂ…第１の偏光方向変換手段、６Ｂ…第２の偏光方向変換手段、１Ｃ…偏光メガネ、９…透明保護層、９ａ…外面
【図１】
2004101775.tif 000003
【図２】
2004101775.tif 000004
【図３】
2004101775.tif 000005
【図４】
2004101775.tif 000006
【図５】
2004101775.tif 000007
【図６】
2004101775.tif 000008
【図７】
2004101775.tif 000009
【図８】
2004101775.tif 000010
【図９】
2004101775.tif 000011
【図１０】
2004101775.tif 000012
【図１１】
2004101775.tif 000013
【図１２】
2004101775.tif 000014
【図１３】
2004101775.tif 000015
【図１４】
2004101775.tif 000016
【図１５】
2004101775.tif 000017
【図１６】
2004101775.tif 000018
【図１７】
2004101775.tif 000019
【図１８】
2004101775.tif 000020
【図１９】
2004101775.tif 000021
【図２０】
2004101775.tif 000022
【図２１】
2004101775.tif 000023
【図２２】
2004101775.tif 000024
【図２３】
2004101775.tif 000025
【図２４】
2004101775.tif 000026
【図２５】
2004101775.tif 000027
【図２６】
2004101775.tif 000028
【図２７】
2004101775.tif 000029
【図２８】
2004101775.tif 000030
【図２９】
2004101775.tif 000031
【図３０】
2004101775.tif 000032
【図３１】
2004101775.tif 000033
【図３２】
2004101775.tif 000034
【図３３】
2004101775.tif 000035